(57)【要約】【課題】  浴室内に設置された全身ミストシャワー装置を利用して、良好に浴室内を暖房することのできる装置を提供する。【解決手段】  複数のノズル３３，３３，３３を有し、全身にミストを噴霧する全身ミストシャワー装置３を備えた浴室１において、全身ミストシャワー装置３のノズル３３，３３に通じる配管途中に弁を設け、この弁を開閉動作させる制御部８を設けるとともに、制御部８に接続されて、ノズル３３からの噴霧をＯＮ／ＯＦＦさせるためのスイッチ９を脱衣室に設けて構成する。【選択図】  図１
2005195236.tif 000002
【特許請求の範囲】
【請求項１】
複数のノズルを有し全身にミストを噴霧する全身ミストシャワー装置を備えた浴室において、前記全身ミストシャワー装置のノズルに通じる配管途中に弁を設け、該弁を開閉動作させる制御部を設けるとともに、該制御部に接続されて前記ノズルからの噴霧をＯＮ／ＯＦＦさせるためのスイッチを脱衣室に設けたことを特徴とする浴室装置。
【請求項２】
複数のノズルを有し全身にミストを噴霧する全身ミストシャワー装置を備えた浴室において、前記全身ミストシャワー装置のノズルに通じる配管途中に弁を設け、該弁を開閉動作させる制御部を設けるとともに、該制御部には、給湯機器側からの湯はり信号が入力されるように構成して、給湯機器の湯はり動作と連動して前記ノズルからミストが噴霧されるようにしたことを特徴とする浴室装置。
【請求項３】
前記給湯機器側からの信号が、湯はり完了の数分前か、または湯はり完了後に前記制御部に発信されるように構成したことを特徴とする請求項２に記載の浴室装置。
【発明の詳細な説明】
【技術分野】
【０００１】
本発明は、複数のノズルを有し全身にミストを噴霧することのできる全身ミストシャワー装置を備えた浴室に関するものである。
【背景技術】
【０００２】
従来、特許文献１に開示されているように、ミスト発生装置から浴室内に温水ミストを噴霧させて、浴室を暖房する浴室暖房システムが存在する。
【特許文献１】特開平８−１７８４１９号公報
【発明の開示】
【発明が解決しようとする課題】
【０００３】
上記従来の浴室暖房システムでは、浴室内にミスト発生装置を設けなければならず、設置コストがかかり、また、効率良く入浴前に浴室内を暖房させることが難しいという問題点があった。
【課題を解決するための手段】
【０００４】
本発明は上記従来の問題点に鑑み案出したものであって、浴室内に設置されている全身ミストシャワー装置を有効に利用して、効率良く入浴前に浴室を暖房することのできる浴室装置を提供せんとするものであり、その請求項１は、複数のノズルを有し、全身にミストを噴霧する全身ミストシャワー装置を備えた浴室において、前記全身ミストシャワー装置のノズルに通じる配管途中に弁を設け、該弁を開閉動作させる制御部を設けるとともに、該制御部に接続されて前記ノズルからの噴霧をＯＮ／ＯＦＦさせるためのスイッチを脱衣室に設けたことである。
【０００５】
また請求項２は、複数のノズルを有し、全身にミストを噴霧する全身ミストシャワー装置を備えた浴室において、前記全身ミストシャワー装置のノズルに通じる配管途中に弁を設け、該弁を開閉動作させる制御部を設けるとともに、該制御部には、給湯機器側からの湯はり信号が入力されるように構成して、給湯機器の湯はり動作と連動して前記ノズルからミストが噴霧されるようにしたことである。
【０００６】
また請求項３は、前記給湯機器側からの信号が湯はり完了の数分前か、または湯はり完了後に前記制御部に発信されるように構成したことである。
【発明の効果】
【０００７】
本発明は、全身ミストシャワー装置のノズルに通じる配管途中に弁を設け、弁を開閉動作させる制御部を設けるとともに、制御部に接続されて、ノズルからの噴霧をＯＮ／ＯＦＦさせるためのスイッチを脱衣室に設けたことにより、別途ノズルを浴室内に設置する必要がなく、既に設置されている全身ミストシャワー装置を有効に利用して、浴室内を暖房することができ、入浴時に脱衣動作をする前に、脱衣室に設けられたスイッチをＯＮして、全身ミストシャワー装置のノズルからミストを噴霧させ、噴出されるミストにより浴室内を短時間で効率良く暖房することができ、脱衣動作の後にスイッチでノズルからのミストの噴霧を停止させ、寒さを感じることなく良好に浴室内に入室することができるものとなる。
また、浴室内で全身ミストシャワー装置を使用する場合に、既に全身ミストシャワー装置の配管内の冷水は無くなっており、しかも配管内は十分に温まっているため、浴室内で即座に全身ミストシャワー装置のノズルから温水を噴出させて、有効に全身シャワーを浴びることができるものとなる。
【０００８】
また、全身ミストシャワー装置のノズルに通じる配管途中に弁を設け、弁を開閉動作させる制御部を設けるとともに、制御部には、給湯機器側からの湯はり信号が入力されるように構成して、給湯機器の湯はり動作と連動してノズルからミストが噴霧されるようにしたことにより、湯はりスイッチが押されて、給湯機器が湯はり運転を行い浴槽内に湯はりを行う動作時に、給湯機器側から湯はり信号が制御部に発信され、これにより、制御部を介して弁が開かれて、全身ミストシャワー装置のノズルからミストが噴霧され、浴室内をミストにより短時間で効率良く暖房することができるものとなり、浴槽内への湯はりと連動させて、浴室内を効率良く入浴前暖房することができるものとなる。
【０００９】
また、給湯機器側からの信号が、湯はり完了の数分前か、または湯はり完了後に、制御部に発信されるように構成したことにより、湯はりの終了数分前に全身ミストシャワー装置のノズルからミストを噴霧させて入浴前暖房を開始し、湯はり完了に合わせて入浴前暖房を完了することができ、または、湯はり終了時点からノズルからミストを噴霧させて入浴前暖房を行うことで、湯はり完了から入浴開始の間に良好に浴室内を暖房することができ、湯の無駄がなくなり、効果的に浴室内を暖房することができるものとなる。
【実施例】
【００１０】
以下、本発明の実施例を図面に基づいて説明する。
図１は、浴室と脱衣室の概略構成図である。
浴室１内には、浴槽２と、洗い場側の壁面に全身ミストシャワー装置３が設置されており、浴槽２には屋外に設けられた給湯機器４が接続されて、この給湯機器４内で沸かされた湯を浴槽２内に流入させて、湯はりを行うことができるように構成されている。
また、浴室１の天井には、受信部７と、この受信部７と別体または一体の制御部８が設けられており、この制御部８は、全身ミストシャワー装置３に設けられた後述する弁３８に電気的に接続されている。
また、この制御部８は、脱衣室内に設けられた暖房入／切スイッチ９に接続されている。
また、浴室１内には、給湯機器４に接続された浴室リモコン６が設けられており、更に台所には、給湯機器４に接続された台所リモコン５が設けられている。
【００１１】
図２には、浴室１内に設置された全身ミストシャワー装置３の正面拡大図を示し、また図３には、全身ミストシャワー装置のカバーを取り外したノズル及び配管部分のみを示す。
全身ミストシャワー装置３は、既に浴室１内に設置されて全身にシャワーを浴びることができるものであり、カウンターカバー３０ａ内には水栓機能部が設けられ、上面はカウンター天板３０ｂで蓋されたものとなっており、カウンターカバー３０ａの前面には、左側から温調ハンドル３４と、全身シャワーハンドル３５と、吐水・ハンドシャワー切替ハンドル３６が設けられている。
【００１２】
このカウンターカバー３０ａの左右には、下方側へ向かって一対の下アーム３１，３１が設けられ、またカウンターカバー３０ａの左右から上方へ向かって一対の上アーム３２，３２が設けられており、この一対の上アーム３２，３２は、洗い場側へ回動可能に構成されている。
また、一対の下アーム３１，３１及び一対の上アーム３２，３２には、それぞれ複数のノズル３３，３３が設けられており、この各ノズル３３から温水をミスト状に噴霧することができるように構成されている。
【００１３】
この各ノズル３３には、配管３７，３７が接続されており、図４に、カウンターカバー３０ａ内の水栓機能部の配管平面構成を示すように、各ノズル３３，３３，３３へ通じる配管３７，３７の途中に、弁３８が設けられたものとなっている。
即ち、図４では、温調ハンドル３４の出口側と配管３７，３７を繋ぐ出口配管４０内に弁３８が設けられている。この弁３８は、前述した天井裏に設けられた制御部８に電気的に接続されており、制御部８からの信号で開閉されるように構成されている。
【００１４】
全身ミストシャワー装置３は、先ず左側の温調ハンドル３４を適宜調整して、水と湯の混合比を調整し、適温の湯とすることができ、全身シャワーハンドル３５を操作することで配管３７を通し、適温の湯を各ノズル３３から噴出させることができるものであり、更に吐水・ハンドシャワー切替ハンドル３６を操作することで、吐水口４４からの吐水と、ハンドシャワー４３からの吐水の何れかに切り替えできるように構成されている。
【００１５】
図４では、全身シャワーハンドル３５が閉じられた状態でも、温調ハンドル３４で適温に調整された湯が出口配管４０内へ流れ込むことができるような配管構成となっており、出口配管４０内に設けられた弁３８が開けられた時には、全身シャワーハンドル３５が閉じられた状態にあっても、良好に配管３７を通し各ノズル３３から温水を噴出させることができるように構成されている。
複数のノズル３３，３３，３３からは、例えば４０℃〜４５℃程度の温水が１分間に５〜２０リットル程度、ミスト状に噴霧されるものであり、複数のノズル３３からミストが噴霧されることにより、２分間程度で浴室１内を良好な温度（２５℃程度）に暖房することができるものである。
【００１６】
即ち、一般的な電気式または温水式の暖房機による暖房に比べて、ミストを噴霧して行う暖房は極めて短時間で浴室１内を暖房できるものである。
例えば、入浴する際に先ず脱衣室内に入り脱衣行為を行う前に、脱衣室に設けられた暖房入／切スイッチ９を使用者が押すことで、制御部８を介し弁３８が開かれて、全身ミストシャワー装置３の複数のノズル３３，３３からミストが噴霧されて、浴室１内が良好に暖房されるものであり、脱衣動作の後に浴室１へ入る前に暖房入／切スイッチ９を押して、ノズル３３，３３からのミストの噴出を停止させて浴室１内に入ることができ、浴室１内は既に良好に暖房されているため、寒さを感じることなく良好に浴室１内に入って入浴することができるものとなる。
【００１７】
しかも、浴室１内で全身ミストシャワー装置３を使用して、全身にシャワーを浴びる時にも、全身ミストシャワー装置３の配管内の冷水は、既に入室前に噴出されて無くなっており、しかも配管は十分に温まっているため、即座に全身ミストシャワー装置３の各ノズル３３から適温の温水を噴出させて、全身にシャワーを浴びることができるものとなる。
本例では、既に浴室１内に設置されている全身ミストシャワー装置３を利用して、浴室１内を暖房するものであるため、別途ミスト発生装置を浴室内に設置する必要がなく、コストを低減させ設置作業も削減することができ、しかも浴室内はデザイン的にもすっきりとしたものとなる。
【００１８】
また、入浴前に台所で台所リモコン５の湯はりスイッチをＯＮすると、給湯機器４が浴槽２への湯はり運転を開始するが、この時に、給湯機器４に接続された浴室リモコン６の発信部から、天井に設けた受信部７に向かって、赤外線で湯はり信号を発信し、この湯はり信号を受信部７が受信して、制御部８を介し全身ミストシャワー装置の弁３８を開けるような構成とすることができ、この場合は、給湯機器４による湯はり動作と連動して、全身ミストシャワー装置３の複数のノズル３３，３３からミストを噴出させて、湯はりに合わせて浴室１内を暖房することができるものとなる。
即ち、わざわざ脱衣室内まで行って暖房入／切スイッチ９を操作しなくても、台所の台所リモコン５の湯はりスイッチをＯＮするのみで、良好に湯はりと同時に浴室１内の暖房を行うことができるものとなる。
【００１９】
なお、図１に示すように、給湯機器４と天井裏の制御部８を直接有線１０で接続して構成しておけば、給湯機器４が湯はり運転を開始した時に、この有線１０を介して湯はり信号を制御部８に伝え、制御部８を介して弁３８を開けることができるものとなる。
なお、その他、給湯機器４側に電波等の発信部を設けて、天井裏の受信部７に向けて、湯はり信号を発信するような構成であっても良い。
【００２０】
なお更に、給湯機器４側から、湯はりが完了する数分前に、制御部８に信号を発信するように構成しても良く、又は、湯はりが完了した後に、給湯機器４側から制御部８に信号を発信するように構成しても良い。
即ち、このように湯はりの終了する数分前に制御部８に信号を発信して、制御部８を介し弁３８を開けてノズル３３からミストを噴出させるような構成とすれば、湯はり終了数分前にノズル３３からミストを噴霧させて入浴前暖房を開始し、湯はり完了に合わせて入浴前暖房を完了させることができる。
また、湯はりが完了した後に、給湯機器４から制御部８に信号を発信するような構成では、湯はり完了から入浴開始までの２・３分の間に、ノズル３３からミストを噴霧させて浴室１内を効果的に暖房することができ、湯の無駄が無くなるものとなる。
【００２１】
次に、図５の平面概略配管構成図で示すものは変更例であり、図５では、全身ミストシャワー装置３の温調ハンドル３４の上流側の水管及び湯管から、配管３７に向かってバイパス配管４１を接続し、このバイパス配管４１内に、弁３８とノズル温調部３９を設けたものである。
このような構成では、全身ミストシャワー装置３の温調ハンドル３４及び全身シャワーハンドル３５が全て閉じられているような状態の時でも、給湯機器４で沸かされた湯を、ノズル温調部３９で適温の湯としてバイパス配管４１内に入れ、しかも、弁３８を制御部８からの信号で開けて、良好に複数のノズル３３，３３から温水を噴出させることができるものである。
【００２２】
このような配管構造の場合でも、脱衣室内に設けられた暖房入／切スイッチ９を操作して、制御部８を介して全身ミストシャワー装置３の複数のノズル３３からミストを噴出させて、浴室１内を暖房することができ、又は、台所リモコン５に設けられた湯はりスイッチがＯＮされて、給湯機器４が浴槽２内へ湯はり運転を行うのと連動して、全身ミストシャワー装置３の複数のノズル３３からミストを噴出させて、浴室１内を入浴前暖房することができるものとなる。
なお、制御部８の制御で、浴室１内の温度が所定の温度に達した時に、ノズル３３からのミストの噴霧を停止させ、その後に浴室１内の温度が低下し、所定の温度以下となった時に、制御部８を介し再び弁３８を開けてノズル３３からミストを噴霧させて、浴室１内の暖房状態を良好に維持するように制御しても良い。
【００２３】
なお、更には、図６に示すように、台所に設けられた台所リモコン５に、湯はりスイッチ５ａとは別に、暖房入／切スイッチ５ｂを設けておくこともでき、浴室または脱衣室以外の場所、例えば台所で、浴室に行く前に暖房入／切スイッチ５ｂを押して、全身ミストシャワー装置３のノズル３３からミストを噴霧させて、浴室内を暖房させるように構成することもでき、この場合は、脱衣室内で脱衣後に、暖房入／切スイッチ９を押して、ノズル３３からのミストの噴霧を停止させて、浴室１内に入室することができる。
また、湯はり動作に合わせて作動させたノズル３３からの噴霧が脱衣後にも作動している場合に、浴室１内への入室に合わせて意図的にノズル３３からの噴霧を停止させることができ、より使い勝手が良好なものとなる。
なお、図６における図中５ｃは、ノズル３３から噴霧される温水の温度を「ぬるく」したり、「あつく」したりするために設けられた調節用のスイッチである。
【図面の簡単な説明】
【００２４】
【図１】浴室と脱衣室の概略構成図である。
【図２】浴室内に設置された全身ミストシャワー装置の正面拡大構成図である。
【図３】全身ミストシャワー装置のカバーを取り外した配管とノズルの配置構成図である。
【図４】全身ミストシャワー装置の配管内に弁を設けた構成の平面概略構成図である。
【図５】変更例を示す図４に対応させた平面概略構成図である。
【図６】台所リモコンの正面拡大構成図である。
【符号の説明】
【００２５】
１  浴室
２  浴槽
３  全身ミストシャワー装置
４  給湯機器
５  台所リモコン
５ａ  湯はりスイッチ
５ｂ  暖房入／切スイッチ
６  浴室リモコン
７  受信部
８  制御部
９  暖房入／切スイッチ
１０  有線
３０ａ  カウンターカバー
３１  下アーム
３２  上アーム
３３  ノズル
３４  温調ハンドル
３５  全身シャワーハンドル
３６  吐水・ハンドシャワー切替ハンドル
３７  配管
３８  弁
３９  ノズル温調部
４０  出口配管
４１  バイパス配管
【図１】
2005195236.tif 000003
【図２】
2005195236.tif 000004
【図３】
2005195236.tif 000005
【図４】
2005195236.tif 000006
【図５】
2005195236.tif 000007
【図６】
2005195236.tif 000008